(57)【要約】【課題】レンズ駆動方式に応じた最適な音声収録制御を行う。【解決手段】被写体を撮像する撮像素子２２を備えたカメラ２と、このカメラ２に着脱可能な交換レンズ３とを含むカメラシステム１において、音声を集音するマイクロフォン１７、３０、３３と、カメラ２に装着された交換レンズ３のレンズ駆動方式に応じて、マイクロフォン１７、３０、３３を用いた音声記録動作を制御する制御装置２１とを備える。【選択図】図１
2008178062.tif 000002
【特許請求の範囲】
【請求項１】
被写体を撮像する撮像素子を備えたカメラと、前記カメラに着脱可能な交換レンズとを含むカメラシステムであって、
音声を集音するマイクロフォンと、
前記カメラに装着された交換レンズのレンズ駆動方式に応じて、前記マイクロフォンを用いた音声記録動作を制御する制御手段とを備えることを特徴とするカメラシステム。
【請求項２】
請求項１に記載のカメラシステムにおいて、
前記レンズ駆動方式は、前記装着された交換レンズのタイプに基づくものであり、
前記制御手段は、前記装着された交換レンズのタイプに応じて、記録媒体への前記音声記録動作を許容するか否かを決定することを特徴とするカメラシステム。
【請求項３】
請求項２に記載のカメラシステムにおいて、
前記制御手段は、前記カメラに装着された交換レンズがレンズ駆動モーターを内蔵する第１タイプの交換レンズである場合に、前記記録媒体への前記音声記録動作を許容することを特徴とするカメラシステム。
【請求項４】
請求項３に記載のカメラシステムにおいて、
前記マイクロフォンは、前記カメラ内に設けられた第１マイクロフォンと、前記第１タイプの交換レンズ内に設けられた第２マイクロフォンとを含み、
前記制御手段は、前記カメラに装着された交換レンズが前記第１タイプの交換レンズである場合に、前記第２マイクロフォンを用いて前記音声記録動作を実行することを特徴とするカメラシステム。
【請求項５】
請求項１に記載のカメラシステムにおいて、
前記レンズ駆動方式は、前記装着された交換レンズの焦点調節動作を規定する焦点調節モードに基づくものであり、
前記制御手段は、前記装着された交換レンズの焦点調節モードに応じて、記録媒体への前記音声記録動作を許容するか否かを決定することを特徴とするカメラシステム。
【請求項６】
請求項５に記載のカメラシステムにおいて、
前記制御手段は、前記焦点調節モードが、レンズを手動で駆動する第１モード、または被写体に対していったん合焦した後は駆動源からの駆動力を用いたレンズ駆動を停止する第２モードである場合に、前記記録媒体への前記音声記録動作を許容することを特徴とするカメラシステム。
【請求項７】
請求項６に記載のカメラシステムにおいて、
前記制御手段は、前記焦点調節モードが前記第１モードまたは前記第２モードである場合に、前記カメラ内に設けられたマイクロフォンを用いて前記音声記録動作を実行することを特徴とするカメラシステム。
【請求項８】
請求項５〜７のいずれか１項に記載のカメラシステムにおいて、
前記制御手段は、前記焦点調節モードが、被写体の動きに応じて常に駆動源からの駆動力を用いたレンズ駆動による焦点調節を行う第３モードである場合に、前記カメラ内に設けられたマイクロフォンを用いた前記音声記録動作を行わないことを特徴とするカメラシステム。
【請求項９】
請求項８に記載のカメラシステムにおいて、
前記制御手段は、前記焦点調節モードが前記第３モードである場合に、前記カメラの外部に設けられたマイクロフォンを用いて前記音声記録動作を実行することを特徴とするカメラシステム。
【請求項１０】
請求項１に記載のカメラシステムにおいて、
前記マイクロフォンは互いに異なる場所に複数個配置されており、
前記レンズ駆動方式は、前記装着された交換レンズのタイプに基づくものであり、
前記制御手段は、前記装着された交換レンズのタイプに応じて前記複数のマイクロフォンから使用すべきマイクロフォンを選択し、該選択したマイクロフォンを用いて記録媒体への前記音声記録動作を実行することを特徴とするカメラシステム。
【請求項１１】
請求項１０に記載のカメラシステムにおいて、
前記マイクロフォンは、前記カメラ内に設けられた第１マイクロフォンと、前記交換レンズ内に設けられた第２マイクロフォンとを含み、
前記制御手段は、前記カメラに装着された交換レンズがレンズ駆動モーターを内蔵するタイプの交換レンズである場合に、前記第２マイクロフォンを用いて前記音声記録動作を実行することを特徴とするカメラシステム。
【請求項１２】
請求項１０に記載のカメラシステムにおいて、
前記複数のマイクロフォンは、前記カメラ内に設けられる第１マイクロフォンを含み、
前記制御手段は、前記カメラに内蔵されるモーターで前記交換レンズの駆動を行う方式である場合に、前記第１マイクロフォンを用いた前記音声記録動作を行わないことを特徴とするカメラシステム。
【請求項１３】
請求項１に記載のカメラシステムにおいて、
前記マイクロフォンは互いに異なる場所に複数個配置されており、
前記レンズ駆動方式は、前記装着された交換レンズの焦点調節動作を規定する焦点調節モードに基づくものであり、
前記制御手段は、前記装着された交換レンズの焦点調節モードに応じて前記複数のマイクロフォンから使用すべきマイクロフォンを選択し、該選択したマイクロフォンを用いて記録媒体への前記音声記録動作を実行することを特徴とするカメラシステム。
【請求項１４】
請求項１３に記載のカメラシステムにおいて、
前記複数のマイクロフォンは、前記カメラ内に設けられる第１マイクロフォンを含み、
前記制御手段は、前記焦点調節モードが、レンズを手動で駆動する第１モード、または被写体に対していったん合焦した後は駆動源からの駆動力を用いたレンズ駆動を停止する第２モードである場合に、前記第１マイクロフォンを用いて前記音声記録動作を実行することを特徴とするカメラシステム。
【請求項１５】
請求項１３または請求項１４に記載のカメラシステムにおいて、
前記制御手段は、前記焦点調節モードが、被写体の動きに応じて常に駆動源からの駆動力を用いたレンズ駆動による焦点調節を行う第３モードである場合に、前記第１マイクロフォンを用いた前記音声記録動作を行わないことを特徴とするカメラシステム。
【請求項１６】
請求項１５に記載のカメラシステムにおいて、
前記制御手段は、前記焦点調節モードが前記第３モードである場合に、前記カメラの外部に設けられたマイクロフォンを用いて前記音声記録動作を実行することを特徴とするカメラシステム。
【請求項１７】
請求項３または請求項４または請求項１１に記載のカメラシステムにおいて、
前記レンズ駆動モーターは、超音波モーターを含むことを特徴とするカメラシステム。
【請求項１８】
交換レンズを着脱可能であり、かつ装着された前記交換レンズを介して被写体を撮像する撮像素子を備えたカメラであって、
マイクロフォンで集音された音声を記録媒体に記録する音声記録装置と、
前記装着された交換レンズのレンズ駆動方式に応じて、前記音声記録装置による音声記録動作を制御する制御手段とを備えることを特徴とするカメラ。
【請求項１９】
請求項１８に記載のカメラにおいて、
前記レンズ駆動方式は、前記装着された交換レンズのタイプに基づくものであり、
前記制御手段は、前記装着された交換レンズのタイプに応じて、前記音声記録装置による前記音声記録動作を許容するか否かを決定することを特徴とするカメラ。
【請求項２０】
請求項１９に記載のカメラにおいて、
前記制御手段は、前記装着された交換レンズがレンズ駆動モーターを内蔵する第１タイプの交換レンズである場合に、前記音声記録装置による前記音声記録動作を許容することを特徴とするカメラ。
【請求項２１】
請求項２０に記載のカメラにおいて、
前記第１タイプの交換レンズは、第１マイクロフォンを含み、
前記制御手段は、前記第１タイプの交換レンズが装着されている場合に、前記第１マイクロフォンを用いて前記音声記録動作を実行することを特徴とするカメラ。
【請求項２２】
請求項１８に記載のカメラにおいて、
前記レンズ駆動方式は、前記装着された交換レンズの焦点調節動作を規定する焦点調節モードに基づくものであり、
前記制御手段は、前記装着された交換レンズの焦点調節モードに応じて、記録媒体への前記音声記録動作を許容するか否かを決定することを特徴とするカメラ。
【請求項２３】
請求項２２に記載のカメラにおいて、
前記制御手段は、前記焦点調節モードが、レンズを手動で駆動する第１モード、または被写体に対していったん合焦した後は駆動源からの駆動力を用いたレンズ駆動を停止する第２モードである場合に、前記音声記録装置による前記音声記録動作を許容することを特徴とするカメラ。
【請求項２４】
請求項２３に記載のカメラにおいて、
音声を集音する第２マイクロフォンをさらに備え、
前記制御手段は、前記焦点調節モードが前記第１モードまたは前記第２モードである場合に、前記第２マイクロフォンを用いて前記音声記録動作を実行するように前記音声記録装置を制御し、
前記焦点調節モードが、被写体の動きに応じて常に駆動源からの駆動力を用いたレンズ駆動による焦点調節を行う第３モードである場合に、前記第２マイクロフォンを用いた前記音声記録動作を行わないよう前記音声記録装置を制御することを特徴とするカメラ。
【請求項２５】
請求項１８に記載のカメラにおいて、
前記マイクロフォンは互いに異なる場所に複数個配置されており、
前記レンズ駆動方式は、前記装着された交換レンズのタイプに基づくものであり、
前記制御手段は、前記装着された交換レンズのタイプに応じて前記複数のマイクロフォンから使用すべきマイクロフォンを選択し、該選択したマイクロフォンを用いて記録媒体への前記音声記録動作を実行するよう前記音声記録装置を制御することを特徴とするカメラ。
【請求項２６】
請求項２５に記載のカメラにおいて、
前記交換レンズは第１マイクロフォンを含み、
前記制御手段は、前記装着された交換レンズがレンズ駆動モーターを内蔵するタイプの交換レンズである場合に、前記第１マイクロフォンを用いて前記音声記録動作を実行することを特徴とするカメラ。
【請求項２７】
請求項２５に記載のカメラにおいて、
音声を集音する第２マイクロフォンをさらに備え、
前記制御手段は、前記カメラに内蔵されるモーターで前記交換レンズの駆動を行う方式である場合に、前記第２マイクロフォンを用いた前記音声記録動作を行わないように前記音声記録装置を制御することを特徴とするカメラ。
【請求項２８】
請求項１８に記載のカメラにおいて、
前記マイクロフォンは互いに異なる場所に複数個配置されており、
前記レンズ駆動方式は、前記装着された交換レンズの焦点調節動作を規定する焦点調節モードに基づくものであり、
前記制御手段は、前記装着された交換レンズの焦点調節モードに応じて前記複数のマイクロフォンから使用すべきマイクロフォンを選択し、該選択したマイクロフォンを用いて記録媒体への前記音声記録動作を実行するように前記音声記録装置を制御することを特徴とするカメラ。
【請求項２９】
請求項２８に記載のカメラにおいて、
音声を集音する第２マイクロフォンをさらに備え、
前記制御手段は、前記焦点調節モードが、レンズを手動で駆動する第１モード、または被写体に対していったん合焦した後は駆動源からの駆動力を用いたレンズ駆動を停止する第２モードである場合に、前記第２マイクロフォンを用いて前記音声記録動作を実行するよう前記音声記録装置を制御し、
前記焦点調節モードが、被写体の動きに応じて常に駆動源からの駆動力を用いたレンズ駆動による焦点調節を行う第３モードである場合に、前記第２マイクロフォンを用いた前記音声記録動作を行わないように前記音声記録装置を制御することを特徴とするカメラ。
【請求項３０】
請求項１に記載のカメラシステムにおいて、
前記レンズ駆動方式は、前記装着された交換レンズの焦点調節動作を規定する焦点調節モードに基づくものであり、
静止画撮影時に、前記制御手段は、焦点調節動作に関する情報に基づいて、前記マイクロフォンを用いて前記音声記録動作を開始することを特徴とするカメラシステム。
【請求項３１】
請求項３０に記載のカメラシステムにおいて、
前記焦点調節動作に関する情報は、被写体の像が合焦したことを示す情報であり、
前記制御手段は、被写体の像が合焦した後、前記マイクロフォンを用いて前記音声記録動作を開始することを特徴とするカメラシステム。
【請求項３２】
請求項３０に記載のカメラシステムにおいて、
前記焦点調節動作に関する情報は、焦点調節開始の指示の情報であり、
前記制御手段は、焦点調節開始の指示に応じて前記マイクロフォンを用いて前記音声記録動作を開始し、前記音声記録動作を終了した後に静止画撮影を開始することを特徴とするカメラシステム。
【請求項３３】
請求項３０に記載のカメラシステムにおいて、
前記焦点調節動作に関する情報は、被写体の像の結像位置と前記撮像素子の結像面との差が所定値以下であることを示す情報であり、
前記制御手段は、結像位置と結像面との差が所定値以下のとき、前記マイクロフォンを用いて前記音声記録動作を開始することを特徴とするカメラシステム。
【請求項３４】
請求項３０乃至３３のいずれか一項に記載のカメラシステムにおいて、
前記マイクロフォンは、前記交換レンズ内に設けられ、
前記制御手段は、静止画撮影が終了した後、前記マイクロフォンを用いた前記音声記録動作を終了することを特徴とするカメラシステム。
【請求項３５】
請求項３１または３３に記載のカメラシステムにおいて、
前記制御手段は、静止画撮影が指示されると、前記音声記録動作を終了した後に静止画撮影を開始することを特徴とするカメラシステム。
【請求項３６】
請求項３０に記載のカメラシステムにおいて、
前記焦点調節動作に関する情報は、焦点調節動作中に静止画撮影が指示されたことを示す情報であり、
前記制御手段は、静止画撮影が終了すると、前記マイクロフォンを用いて前記音声記録動作を開始することを特徴とするカメラシステム。
【請求項３７】
請求項３６に記載のカメラシステムにおいて、
前記制御手段は、前記マイクロフォンを用いた前記音声記録動作を開始してから所定時間が経過した後、前記音声記録動作を終了することを特徴とするカメラシステム。
【請求項３８】
請求項１８に記載のカメラにおいて、
前記レンズ駆動方式は、前記装着された交換レンズの焦点調節動作を規定する焦点調節モードに基づくものであり、
静止画撮影時に、前記制御手段は、焦点調節動作に関する情報に基づいて、前記マイクロフォンを用いて前記音声記録装置による前記音声記録動作を開始することを特徴とするカメラ。
【請求項３９】
請求項３８に記載のカメラにおいて、
前記焦点調節動作に関する情報は、被写体の像が合焦したことを示す情報であり、
前記制御手段は、被写体の像が合焦した後、前記マイクロフォンを用いて前記音声記録装置による前記音声記録動作を開始することを特徴とするカメラ。
【請求項４０】
請求項３８に記載のカメラにおいて、
前記焦点調節動作に関する情報は、焦点調節開始の指示の情報であり、
前記制御手段は、焦点調節開始の指示に応じて前記マイクロフォンを用いて前記音声記録装置による前記音声記録動作を開始し、前記音声記録動作を終了した後に静止画撮影を開始することを特徴とするカメラ。
【請求項４１】
請求項３８に記載のカメラにおいて、
前記焦点調節動作に関する情報は、被写体の像の結像位置と前記撮像素子の結像面との差が所定値以下であることを示す情報であり、
前記制御手段は、結像位置と結像面との差が所定値以下のとき、前記マイクロフォンを用いて前記音声記録装置による前記音声記録動作を開始することを特徴とするカメラ。
【請求項４２】
請求項３８乃至４１のいずれか一項に記載のカメラにおいて、
前記マイクロフォンは、前記交換レンズ内に設けられ、
前記制御手段は、静止画撮影が終了した後、前記マイクロフォンを用いた前記音声記録動作を終了することを特徴とするカメラ。
【請求項４３】
請求項３９または４１に記載のカメラにおいて、
前記制御手段は、静止画撮影が指示されると、前記音声記録動作を終了した後に静止画撮影を開始することを特徴とするカメラ。
【請求項４４】
請求項３８に記載のカメラにおいて、
前記焦点調節動作に関する情報は、焦点調節動作中に撮影が指示されたことを示す情報であり、
前記制御手段は、静止画撮影が終了するとき、前記マイクロフォンを用いて前記音声記録動作を開始することを特徴とするカメラ。
【請求項４５】
請求項４４に記載のカメラにおいて、
前記制御手段は、前記マイクロフォンを用いた前記音声記録動作を開始してから所定時間が経過した後、前記音声記録動作を終了することを特徴とするカメラ。
【発明の詳細な説明】
【技術分野】
【０００１】
本発明はカメラおよびカメラシステムに関する。
【背景技術】
【０００２】
カメラボディにマイクロフォン（以下、マイクという）を内蔵するとともに、カメラボディ外部に超指向性マイクを設置し、切り換えスイッチによりメカニカルノイズを拾い難いマイクを選択するようにした録音マイクシステムが知られている（例えば、特許文献１参照）。
【０００３】
この出願の発明に関連する先行技術文献としては次のものがある。
【特許文献１】特開平０９−２４７５１０号公報
【発明の開示】
【発明が解決しようとする課題】
【０００４】
カメラにおけるメカニカルノイズの発生場所とそのノイズレベルは、例えば交換レンズの種類や焦点調節モードにより異なるため、上述した従来の録音マイクシステムでは、その都度、撮影者が切り換えスイッチにより選択しなければならず、機動性と操作性において難点がある。
【課題を解決するための手段】
【０００５】
（１）  本発明は、被写体を撮像する撮像素子を備えたカメラと、このカメラに着脱可能な交換レンズとを含むカメラシステムにおいて、音声を集音するマイクロフォンと、カメラに装着された交換レンズのレンズ駆動方式に応じて、マイクロフォンを用いた音声記録動作を制御する制御手段とを備える。
（２）  本発明はまた、交換レンズを着脱可能であり、かつ装着された交換レンズを介して被写体を撮像する撮像素子を備えたカメラにおいて、マイクロフォンで集音された音声を記録媒体に記録する音声記録装置と、装着された交換レンズのレンズ駆動方式に応じて、音声記録装置による音声記録動作を制御する制御手段とを備える。
【発明の効果】
【０００６】
本発明によれば、レンズ駆動方式に応じてマイクロフォンによる音声記録動作を最適な状態に制御することができる。
【発明を実施するための最良の形態】
【０００７】
−第１の実施の形態−
レンズ交換式一眼レフディジタルカメラに本発明を適用した一実施の形態を説明する。図１は一実施の形態の構成を示すカメラの断面図である。なお、図１では本願発明と直接関係のないカメラの機器および回路の図示と説明を省略する。一実施の形態のカメラ１はレンズ交換式一眼レフディジタルカメラであり、カメラボディ２に交換レンズ３が装着される。
【０００８】
図１に示した交換レンズ３は、後述する超音波モーターとレンズマイク１７とが内蔵されたタイプの交換レンズである。交換レンズ３には対物レンズ１１、ズームレンズ１２、絞り１３、フォーカシングレンズ１４、フォーカシングレンズ駆動回路１５、レンズ駆動制御装置１６、レンズマイク１７などが内蔵されている。フォーカシングレンズ駆動回路１５は超音波モーターとその駆動回路など（不図示）を備え、フォーカシングレンズ１４を駆動して交換レンズ３の焦点調節を行う。
【０００９】
レンズ駆動制御装置１６はマイクロコンピューター、メモリ、駆動回路など（不図示）を備え、フォーカシングレンズ駆動回路１５、絞り１３などを制御して焦点調節と絞り調節を行うとともに、レンズマイク１７のオン、オフおよび音量調節を行う。レンズ駆動制御装置１６に内蔵されるメモリには、交換レンズ２の種類、仕様、性能など、交換レンズ２に関する情報や、レンズマイク１７に関する情報などが記憶されている。レンズ駆動制御装置１６は、バヨネットマウント（不図示）に設けられる信号接点１８を介して後述するボディ駆動制御装置２１と通信を行い、レンズおよびマイクに関する各種情報を送信するとともに、焦点調節、絞り調整および音声集音に関する各種指令を受信する。
【００１０】
レンズマイク１７は、被写体から発せられる音声を集音して音声信号に変換する。このレンズマイク１７には、指向性マイクなどの各種のマイクシステムを用いることができる。
【００１１】
カメラボディ２にはボディ駆動制御装置２１、撮像素子２２、信号処理回路２３、画像処理回路２４、画像／音声メモリ２５、画像／音声記録媒体２６、タイミングジェネレーター２７、ＡＦモジュール２８が設けられる。ボディ駆動制御回路２１はマイクロコンピューター２１ａやメモリ２１ｂを備え、カメラの各種演算やシーケンス制御を行う。撮像素子２２はＣＣＤやＣＭＯＳから構成され、交換レンズ３により結像された被写体像を受光して画像信号を出力する。信号処理回路２３は、撮像素子２２から出力された画像信号に対しサンプリング、ノイズ除去、感度補正、Ａ／Ｄ変換などの処理を施す。画像処理回路２４は、信号処理回路２３による処理後の画像データに対し画素補間、解像度変換、ホワイトバランス制御、ガンマ補正、マトリクス演算、画像圧縮などの処理を施す。
【００１２】
画像／音声メモリ２５は、画像処理回路２４による処理前または処理後の画像データと、集音された音声を一時的に記憶するメモリである。画像／音声記録媒体２６は画像データと音声データを記録する。この記録媒体２６には各種のメモリカードを用いることができる。タイミングジェネレーター２７は撮像素子２２の撮像や信号読み出しのタイミングを制御する。ＡＦモジュール２８は焦点検出光学系とＡＦセンサー（不図示）を備え、位相差検出方式により交換レンズ３の焦点調節状態を検出する。モニター２９はカメラボディ２の背面に設けられた液晶ディスプレイであり、撮影した画像と撮影に関する各種情報を表示する。
【００１３】
ボディマイク３０は、被写体から発せられる音声を集音して音声信号に変換する。このボディマイク３０にはステレオマイクなどの各種のマイクシステムを用いることができる。操作部材３１はカメラを操作するための各種スイッチである。操作部材３１には電源スイッチ、レリーズボタンに連動して作動する半押しスイッチと全押しスイッチ、撮影モードセレクター、オートフォーカス（ＡＦ）モードセレクター、マイクスイッチなどが含まれる。カメラボディ２の背面にはコネクター３２が設けられ、外部マイク３３を接続することができる。
【００１４】
撮影時以外はメインミラー３４およびサブミラー３５が交換レンズ３の撮影光路中に置かれ、メインミラー３４を透過した被写体光束の一部はサブミラー３５により反射されてＡＦモジュール２８へ導かれ、焦点検出が行われる。一方、メインミラー３４により反射された被写体光束の一部はスクリーン３６に導かれ、スクリーン３６上に被写体像が結像される。スクリーン３６上に結像された被写体像は、プリズム３７、接眼レンズ３８を介して接眼窓３９へ導かれ、撮影者に視認される。スクリーン３６の上には液晶表示器４０が配置され、フォーカスエリアマークなどの撮影情報が被写体像にスーパーインポーズ表示される。
【００１５】
−レンズ内蔵モーターの有無に応じた音声記録動作制御−
図２は一実施の形態の動画撮影動作を示すフローチャートである。ボディ駆動制御装置
２１は、操作部材３１の撮影モードセレクターにより動画撮影モードが選択されるとこの動画撮影動作を実行する。ステップ１においてレンズ駆動制御装置１６と通信を行い、カメラボディ２に装着された交換レンズ３に関する情報を入力する。ステップ２で交換レンズ３がマイク内蔵レンズか否かを判別し、マイク内蔵レンズの場合はステップ３へ進み、そうでなければステップ４へ進む。
【００１６】
交換レンズ３にマイクが内蔵されている場合は、ステップ３でレンズ内蔵マイクによる音声集音を選択する。この一実施の形態では、交換レンズ３がマイク１７を内蔵しているので、このレンズ内蔵マイク１７により音声の集音を行う。交換レンズ３に内蔵された超音波モーターによりフォーカシングレンズを駆動する型式（タイプ）の交換レンズでは、超音波モーターから発生するノイズが小さいので、交換レンズに内蔵されるマイク１７を音声集音用に用いることができる。
【００１７】
交換レンズ３にマイクが内蔵されていない場合（マイクが内蔵されていないタイプの交換レンズがカメラボディ２に装着されている場合）には、ステップ４で交換レンズ３にフォーカシングレンズ駆動用モーター（超音波モーター）が内蔵されているか否か（レンズ駆動用モーターが内蔵されているタイプの交換レンズがカメラボディ２に装着されているか否か）を判別する。モーター内蔵レンズの場合はステップ５へ進み、そうでなければステップ６へ進む。交換レンズ３にマイクは内蔵されていないが、フォーカシングレンズ駆動用モーターが内蔵されている場合には、ボディマイク３０がレンズ駆動用モーターから離れたところに配置されることになり、ボディマイク３０により音声を集音してもレンズ内モーターのノイズの混入は少ない。したがって、この場合にはボディマイク３０を音声集音用マイクに選択する。
【００１８】
一方、交換レンズ３にマイクもフォーカシングレンズ駆動用モーターも内蔵されていない場合は、カメラボディ内に組み込まれているフォーカシングレンズ駆動用モーターとカップリングなどの駆動機構を介して交換レンズを駆動することになる。これらのカメラボディ内のモーターおよび駆動機構から発生するメカニカルノイズは大きく、ボディマイクで音声を集音すると、このメカニカルノイズが音声信号に混入して良好な録音状態は望めない。そこで、編集時の利便性や記録データ量を抑制するために、ステップ６でボディマイク３０をオフにし、ノイズが多く混入した音声を収録しないようにするとともに、ノイズの影響のために音声の収録を行わない旨の警告をカメラの表示部材の表示、あるいは音声により行う。
【００１９】
ただし、撮影者によってはノイズが多く混入しても音声を収録したい場合があるため、ステップ７で操作部材３１のマイクスイッチがオンされているか否かを判別し、マイクスイッチがオンされていれば（撮影者により音声記録の要望がマニュアル操作を介して入力されていれば）ステップ８へ進み、ボディマイク３１による音声集音を選択する。なお、ステップ７ではマイクスイッチのようなメカニカルなスイッチ（操作部材３１）のオンを識別するものに限られない。例えばカスタムセッティングにより音声収録がオンされているか否かを識別し、オンならばステップ８へ進むようにしてもよい。
【００２０】
音声集音用マイクの選択が終了したらステップ９へ進み、操作部材３１のレリーズ半押しスイッチの状態を確認する。レリーズ半押しスイッチがオンしているときはステップ１０へ進み、ＡＦモジュール２８により焦点検出を行うとともに、焦点検出結果に基づいて焦点調節指令をレンズ駆動制御装置１６へ送信する。焦点調節指令を受信したレンズ駆動制御装置１６は、フォーカシングレンズ駆動回路１５を制御してフォーカシングレンズ１４を合焦させる。
【００２１】
焦点調節後のステップ１１で操作部材３１のレリーズ全押しスイッチの状態を確認し、レリーズ全押しスイッチがオンしているときはステップ１２へ進む。ステップ１２では、メインミラー３４をアップした後に、撮像素子２２による撮像とレンズマイク１７またはボディマイク３０による集音を開始し、記録媒体２６への画像と音声を記録する。ここでステップ７から直接ステップ９に移行した場合（ステップ８を通らなかった場合）には、このステップ１２では音声を記録せず、画像のみが記録されることになる。
【００２２】
また、ステップ１２で動画撮影が開始された後は、撮像素子２２から出力された画像信号に基づいて、いわゆるコントラスト検出方式による焦点検出を行い、焦点検出結果に基づいて焦点調節指令をレンズ駆動制御装置１６へ送信することにより、フォーカシングレンズ１４による焦点調節動作を行う。ステップ１０においてＡＦモジュール２８で検出された焦点検出結果に基づいて、焦点調節状態の予測演算を行い、動画撮影開始後、予測演算の結果に基づいて焦点調節指令をレンズ駆動制御装置１６へ送信することにより、フォーカシングレンズ１４による焦点調節動作を行ってもよい。なお、予測演算とは、ＡＦモジュール２８による焦点検出結果に基づいて被写体像の移動速度を予測し、予測した被写体像の移動速度に基づいてレリーズ全押しスイッチがオンしてから実際に撮影する時点での被写体像の予測位置を算出するものである。
【００２３】
ステップ１３でレリーズ全押しスイッチがオンしているか否かを確認し、オンしているときはステップ１４へ進み、録画と録音を終了する。なお、動画撮影時は、レリーズボタンを全押して離すと録画と録音を開始し、もう一度レリーズボタンを全押しして離すと録画と録音を終了する。
【００２４】
−フォーカスモードに応じた音声記録動作制御−
上述した動画撮影動作では装着される交換レンズの仕様に応じて、音声記録を許容するか否かの選択、さらには使用する音声集音マイクの選択をする実施例を示した。交換レンズの仕様としてカメラに装着された交換レンズが、レンズ内蔵モーターで駆動されるのか、カメラ内蔵モーターで駆動されるのか、というレンズの駆動方式、さらにはレンズ内マイクの有無を示した。しかしながら、オートフォーカス（ＡＦ）モードの中には動画撮影中にフォーカシングモーターを連続的に駆動し、動きのある被写体を捕捉し続ける場合（コンティニュアスＡＦモード）がある。そこで、使用されるフォーカシングモードの種類、換言すれば、フォーカシングに関するレンズの駆動方式に応じて、音声記録を許容するか否かの選択、あるいは使用する音声集音マイクの選択をする必要がある。このような場合の動画撮影動作を図３に示す。
【００２５】
ボディ駆動制御装置２１は、操作部材３１の撮影モードセレクターにより動画撮影モードが選択されるとこの動画撮影動作を実行する。ステップ２１において操作部材３１のＡＦモードセレクターによりマニュアルフォーカス（ＭＦ）モードが選択されているか否かを確認し、ＭＦモードが選択されているときはステップ２２へ進み、そうでなければステップ２３へ進む。ＭＦモードが選択されている場合は、フォーカシングレンズ１４をモーター駆動しないのでモーターおよび駆動機構からのノイズの発生がなく、ステップ２２へ進んでボディマイク３０を音声集音マイクに選択する。
【００２６】
ＭＦモードが選択されていない場合はステップ２３へ進み、シングルＡＦモード、すなわちフォーカシングレンズ１４をモーター駆動して焦点調節を行い、被写体に合焦した時点でレンズ駆動を停止するモードが選択されているか否かを確認する。シングルＡＦモードが選択されている場合は、動画撮影開始時にレンズ駆動用モーターが作動するだけで、その後はモーター停止状態が継続されるので、モーターおよび駆動機構からのノイズの発生は少なく、ＭＦモード選択時と同様にステップ２２へ進んでボディマイク３０を音声集音マイクに選択する。
【００２７】
一方、ＭＦモードでもシングルＡＦモードでもないときはコンティニュアスＡＦモードであり、ステップ２４へ進んでコネクター３２に外部マイク３３が接続されているか否かを確認する。コンティニュアスＡＦモードでは、動画撮影中も必要に応じてレンズ駆動モーターが作動するので、モーターおよび駆動機構から発生するノイズがボディマイク３０に混入する可能性が高く、良好な録音状態を保証できない。そこで、コンティニュアスＡＦモードで外部マイク３３が接続されているときは、ステップ２５へ進んで外部マイク３３による音声集音を選択する。
【００２８】
一方、コンティニュアスＡＦモードで外部マイク３３が接続されていない場合は、モーターおよび駆動機構から発生するメカニカルノイズが大きく、ボディマイク３０で音声を集音するとノイズが混入して良好な録音状態は望めない。そこで、編集時の利便性や記録データ量を抑制するために、ステップ２７でボディマイク３０をオフにし、ノイズが多く混入した音声を収録しないようにするとともに、上述したステップ６と同様に、ノイズの影響のために音声の収録を行わない旨の警告を行う。
【００２９】
ただし、撮影者によってはノイズが多く混入しても音声を収録したい場合があるため、ステップ２７で操作部材３１のマイクスイッチがオンされているか否かを判別し、マイクスイッチがオンされていればステップ２８へ進み、ボディマイク３１による音声集音を選択する。
【００３０】
音声集音用マイクの選択が終了したらステップ２９へ進み、操作部材３１のレリーズ半押しスイッチの状態を確認する。レリーズ半押しスイッチがオンしているときはステップ３０へ進み、ＡＦモジュール２８により焦点検出を行うとともに、焦点検出結果に基づいて焦点調節指令をレンズ駆動制御装置１６へ送信する。焦点調節指令を受信したレンズ駆動制御装置１６は、フォーカシングレンズ駆動回路１５を制御してフォーカシングレンズ１４を合焦させる。
【００３１】
焦点調節後のステップ３１で操作部材３１のレリーズ全押しスイッチの状態を確認し、レリーズ全押しスイッチがオンしているときはステップ３２へ進む。ステップ３２では撮像素子２２による撮像とボディマイク３０または外部マイク３３による集音を開始し、記録媒体２６への画像と音声を記録する。ここで、ステップ２７からステップ２８を介さずに直接ステップ２９へ移行した場合には、このステップ３２では音声は記録せずに画像のみを記録することになる。
【００３２】
また、コンティニュアスＡＦモードが選択されている場合には、ステップ３２で撮像素子２２から出力された画像信号に基づいて、いわゆるコントラスト検出方式による焦点検出を行い、焦点検出結果に基づいて焦点調節指令をレンズ駆動制御装置１６へ送信することにより、フォーカシングレンズ１４による焦点調節動作を行う。シングルＡＦモードが選択されている場合には、ステップ３０においてＡＦモジュール２８で検出された焦点検出結果に基づいて、上述した焦点調節状態の予測演算を行い、予測演算の結果に基づいて焦点調節指令をレンズ駆動制御装置１６へ送信することにより、フォーカシングレンズ１４による焦点調節動作を行う。ステップ３３でレリーズ全押しスイッチがオンしているか否かを確認し、オンしているときはステップ１４へ進み、録画と録音を終了する。
【００３３】
このように、一実施の形態によれば、被写体を撮像する撮像素子２２を備えたカメラ２と、このカメラ２に着脱可能な交換レンズ３とを含むカメラシステム１において、音声を集音するマイクロフォン１７、３０、３３と、カメラ２に装着された交換レンズ３のレンズ駆動方式に応じて、マイクロフォン１７、３０、３３を用いた音声記録動作を制御する制御装置２１とを備えるようにしたので、レンズ駆動方式に応じてマイクロフォン１７、３０、３３による音声記録動作を最適な状態に制御することができる。
【００３４】
また、一実施の形態によれば、交換レンズ３を着脱可能であり、かつ装着された交換レンズ３を介して被写体を撮像する撮像素子２２を備えたカメラ２において、マイクロフォン１７、３０、３３で集音された音声を記録媒体２６に記録する音声記録装置と、装着された交換レンズ３のレンズ駆動方式に応じて、音声記録装置による音声記録動作を制御する制御装置２１とを備えるようにしたので、レンズ駆動方式に応じてマイクロフォン１７、３０、３３による音声記録動作を最適な状態に制御することができる。
【００３５】
上記実施の形態によれば、様々なタイプの交換レンズを着脱可能なレンズ交換式カメラシステムに特有となる問題点である、カメラボディに装着されるレンズによって、カメラシステム上で発生するメカニカルノイズのレベルが変化しうるということを考慮して、カメラシステムを構成した。具体的には、カメラボディに装着される交換レンズのレンズ駆動方式（交換レンズの駆動をどこに設けられたモーターで行うか、あるいはフォーカシング動作の際のフォーカシングレンズ駆動モード）によって、録音環境（録音するか否か、録音するとしたらどのマイクを使用するか）を制御するように構成した。このため、カメラボディ２と交換レンズとの組み合わせによっては、想定外の音声ノイズ（メカニカルノイズ）がカメラシステム上で発生する場合があったとしても、そのカメラシステムに最適な録音環境を自動的に設定することができる。
【００３６】
−第２の実施の形態−
上述の実施の形態では、動画撮影時に上述した音声記録動作の制御を行っているが、本発明はこれに限らず、静止画撮影（スチル撮影）の際に音声記録を行う場合においても、焦点調節に関する情報に基づいて音声記録動作を制御できる。以下、他の実施の形態として静止画撮影の際の音声記録動作について説明する。なお、撮像素子２２の前段に図示しない遮光シャッタが設けられているものとする。
【００３７】
図４は、焦点調節状態が合焦と判断されると音声記録を開始する場合における静止画撮影動作を示すフローチャートである。ボディ駆動制御装置２１は、操作部３１の撮影モードセレクターにより静止画撮影モードが選択されると、静止画撮影動作を実行する。ステップ１０１（レンズ情報入力）からステップ１１０（焦点調節）までの各処理は、図２のステップ１（レンズ情報入力）からステップ１０（焦点調節）までの各処理と同様である。ステップ１１１では、結像面上で被写体が合焦しているか否かを判別し、合焦していればステップ１１２へ進み、合焦していなければステップ１１０へ戻る。なお、合焦の判定は、被写体像の結像位置と結像面とが一致する場合であってもよいし、被写体像の結像位置と結像面との差が所定値以下となる場合であってもよい。
【００３８】
ステップ１１２が肯定されると、すなわち合焦が判定されると、レンズマイク１７またはボディマイク３０による集音を開始し、記録媒体２６へ音声を記録する。ここでステップ１０７から直接ステップ１０９に移行した場合（ステップ１０８を通らなかった場合）には、このステップ１１２ではレンズマイク１７またはボディマイク３０による集音、音声の記録をしない。ステップ１１３でレリーズ全押しスイッチがオンしているか否かを確認し、オンしているときはステップ１１４へ進み、録音を終了してステップ１１５へ進む。ステップ１１５では、遮光シャッタを開放し、あらかじめ設定されている電荷蓄積時間（電子シャッタ時間）、撮像素子２２による撮像を行って、静止画を取得する。撮像終了後に遮光シャッタを閉じて一連の処理を終了する。
【００３９】
上述した静止画撮影動作では、装着される交換レンズの仕様に応じて、音声記録を許容するか否かの選択、使用する音声集音マイクの選択をして、合焦と判断されると音声記録を開始するようにした。すなわちフォーカシングレンズ１４の焦点調節のための駆動が終了してから音声記録を開始するので、ノイズが多く混入した音声の収録を防ぐことができる。さらに、音声記録を終了してから静止画撮影を開始するので、図示しない遮光シャッタの駆動に伴うノイズが混入した音声の収録を防ぐことができる。
【００４０】
−第３の実施の形態−
焦点調節の開始が指示されたとき、すなわちレリーズ半押しスイッチがオンしてから音声記録を開始してもよい。このような場合の静止画撮影動作を図５に示し、図４との相違点を主に説明する。ボディ駆動制御装置２１は、操作部材３１の撮影モードセレクターにより静止画撮影モードが選択されると、図５のフローチャートに示す静止画撮影動作を実行する。
【００４１】
ステップ２０１（レンズ情報入力）からステップ２０９（レリーズ半押し判定）までの各処理は、図４のステップ１０１（レンズ情報入力）からステップ１０９（レリーズ半押し判定）までの各処理と同様である。レリーズ半押しスイッチがオンして焦点調節の開始が指示されると、ステップ２１０において、レンズマイク１７またはボディマイク３０による集音を開始し、記録媒体２６へ音声を記録する。ここでステップ２０７から直接ステップ２０９に移行した場合（ステップ２０８を通らなかった場合）には、このステップ２１０ではレンズマイク１７またはボディマイク３０による集音、音声の記録をしない。
【００４２】
ステップ２１１（焦点調節）およびステップ２１２（合焦判定）の各処理は、図４のステップ１１０（焦点調節）およびステップ１１１（合焦判定）の各処理と同様である。さらにステップ２１３（レリーズ全押し判定）からステップ２１５（静止画撮影終了）までの各処理は、図４のステップ１１３（レリーズ全押し判定）からステップ１１５（静止画撮影終了）までの各処理と同様である。
【００４３】
上述の静止画撮影動作では、レリーズ半押しスイッチがオンして焦点調節が指示されると音声記録を開始し、レリーズ全押しスイッチがオンして静止画撮影が指示された場合、音声記録を終了してから静止画を撮影するようにした。したがって、フォーカシングレンズ駆動モーターの駆動音は録音されるが、遮光シャッタの駆動音は録音されない。
【００４４】
−第４の実施の形態−
焦点調節状態を表す情報、すなわち被写体像の結像位置と結像面との差（ピントずれ量）が所定値以下となったことが判定された場合に音声記録を開始してもよい。なお、この所定値は、合焦を判定するための所定値よりも大きな値とする。このような場合の静止画撮影動作を図６に示し、図４との相違点を主に説明する。ボディ駆動制御装置２１は、操作部３１の撮影モードセレクターにより静止画撮影モードが選択されると、図６のフローチャートに示す静止画撮影動作を実行する。
【００４５】
ステップ３０１（レンズ情報入力）からステップ３１０（焦点調節）までの各処理は、図４のステップ１０１（レンズ情報入力）からステップ１１０（焦点調節）までの各処理と同様である。ステップ３１１においては、被写体像のピントずれ量が所定値以下となったか否かを判定する。ピントずれ量が所定値以下になるとステップ３１１が肯定判定されてステップ３１２へ進み、ピントずれ量が所定値を超える場合はステップ３１１が否定判定されてステップ３１０へ戻る。ステップ３１２（録音開始）は図４のステップ１１２（録音開始）と同様である。ステップ３１２Ａでは、結像面上で被写体が合焦しているか否かを判別し、合焦していればステップ３１３へ進み、合焦していなければステップ３１２Ｂへ進む。ステップ３１２Ｂでは、ステップ３１０と同様に焦点調節を行ってステップ３１２Ａへ戻る。ステップ３１３(レリーズ全押し判定)からステップ３１５（静止画撮影）までの各処理は、図４のステップ１１３（レリーズ全押し判定）からステップ１１５（静止画撮影）までの各処理と同様である。
【００４６】
上述の静止画撮影動作では、フォーカシングレンズ１４の駆動によりピントずれ量が所定値以下になると音声記録を開始し、レリーズ全押しスイッチがオンして静止画撮影が指示された場合、音声記録を終了してから静止画を撮影するようにした。したがって、フォーカシングレンズ１４の合焦位置までの移動量が少なくなってから音声記録を行うので、音声の収録時におけるノイズの混入を低減できる。また、第２、第３の実施の形態と同様に、遮光シャッタの駆動音は録音されない。
【００４７】
−第５の実施の形態−
集音マイクの選択結果に基づいて、音声記録の開始および終了のタイミングを制御してもよい。このような場合の静止画撮影動作を図７に示し、図４および図５との相違点を主に説明する。ボディ駆動制御装置２１は、操作部３１の撮影モードセレクターにより静止画撮影モードが選択されると、図７のフローチャートに示す静止画撮影動作を実行する。
【００４８】
ステップ４０１（レンズ情報入力）からステップ４０８（ボディマイク選択）までの各処理は、図５のステップ２０１（レンズ情報入力）からステップ２０８（ボディマイク選択）までの各処理と同様である。ステップ４０９においては、レリーズ半押しスイッチがオンしたか否かを判定する。レリーズ半押しスイッチがオンした場合はステップ４０９が肯定判定されてステップ４１０へ進み、レリーズ半押しスイッチがオンしない場合はステップ４０９が否定判定されて当該判定処理を繰り返す。
【００４９】
ステップ４１０（録音開始）からステップ４１３（レリーズ全押し判定）までの各処理は、図５のステップ２１０（録音開始）からステップ２１３（レリーズ全押し判定までの各処理と同様である。なお、ステップ４１０においては、レンズマイク１７による集音を開始し、記録媒体２６へ音声を記録する。ステップ４１４においては、遮光シャッタを開放し、予め設定されている電荷蓄積時間で撮像素子２２による撮像を行って、静止画の取得し、遮光シャッタを閉じてステップ４１５へ進む。ステップ４１５では、レンズマイク１７による集音を終了して一連の処理を終了する。なお、録音終了後に遮光シャッタを閉じてもよい。
【００５０】
一方、マイク内蔵レンズではないと判定された後に実行されるステップ４１６（レリーズ半押し判定）からステップ４２２（静止画撮影）までの各処理は、図４のステップ１０９（レリーズ半押し判定）からステップ１１５（静止画撮影）までの各処理と同様である。なお、ステップ４１８で合焦と判定されてステップ４１９に進むと、ボディマイク３０による集音を開始し、記録媒体２６へ音声を記録する。ここでステップ４０７から直接ステップ４１６に移行した場合（ステップ４０８を通らなかった場合）には、このステップ４１９ではボディマイク３０による集音、音声の記録をしない。そして、ステップ４２０でレリーズ全押しスイッチのオンが判定されると、ステップ４２１で録音を終了し、ステップ４２２で静止画撮影を上述と同様に行う。
【００５１】
上述した静止画撮影処理では、レンズマイク１７が選択されて集音をしている場合には、静止画撮影が終了した後、音声記録を終了するようにした。レンズマイク１７とシャッタの配置位置が離れているので、遮光シャッタの動作に伴うノイズがレンズマイク１７で集音されることによる悪影響が少ない。したがって、レンズマイク１７による集音時に、ノイズの混入による影響を最小限に抑えつつ、音声記録の時間を延ばすことができる。
【００５２】
−第６の実施の形態−
操作部材３１のレリーズボタンの操作態様に応じて音声記録を開始するタイミングを制御してもよい。このような場合の静止画撮影動作を図８に示し、図４との相違点を主に説明する。
【００５３】
ボディ駆動制御装置２１は、操作部材３１の撮影モードセレクターにより静止画撮影モードが選択されると、図８のフローチャートに示す静止画撮影動作を実行する。ステップ５０１（レンズ情報入力）からステップ５０８（ボディマイク選択）までの各処理は、図４のステップ１０１（レンズ情報入力）からステップ１０８（ボディマイク選択）までの各処理と同様である。
【００５４】
ステップ５０９では、レリーズ半押しスイッチがオンしてから所定時間以内にレリーズ全押しスイッチがオン（レリーズボタン一気押し）したか否かを判定する。レリーズボタンが一気押しされた場合はフォーカシングレンズ１４により被写体像を結像面に合焦させる焦点調節動作を行っている間に、ステップ５１０において撮影指令が出力される。このとき、合焦判定されるまでは撮像を待機し、合焦判定後、撮像素子２２による撮像を行い、静止画の取得が終了するとステップ５１１へ進む。ステップ５１１では、レンズマイク１７またはボディマイク３０による集音を開始し、記録媒体２６へ音声を記録する。ここでステップ５０７から直接ステップ５０９に移行した場合（ステップ５０８を通らなかった場合）には、このステップ５１１ではレンズマイク１７またはボディマイク３０による集音、音声の記録をしない。そして、ステップ５１１で集音を開始してから所定時間が経過するとステップ５１２へ進み、録音を終了して一連の処理を終了する。
【００５５】
ステップ５０９でレリーズボタンが一気押しされない場合にはステップ５１３へ進む。ステップ５１３（レリーズ半押し判定）からステップ５１９（静止画撮影）までの各処理は、図４のステップ１０９（レリーズ半押し判定）からステップ１１５（静止画撮影）までの各処理と同様である。
【００５６】
上述した静止画撮影動作では、レリーズボタンが一気押しされた場合、すなわち、フォーカシングレンズ１４による焦点調節動作中に撮影開始が指示された場合、フォーカシングレンズ１４が合焦位置まで駆動されて、静止画撮影画終了してから音声記録を開始するようにした。その結果、フォーカシングレンズ１４による駆動音と、図示しない遮光シャッタの駆動音が混入した音声の収録を防ぐことができる。
【００５７】
また、上述した実施の形態において、外部マイク３３は、カメラボディ２の背面に設けられたコネクター３２を介して、カメラボディ２に接続されるように構成されているが、この外部マイクはカメラボディ２と物理的に接続している必要性はない。例えばカメラボディ２とは別離的に離間しているが、カメラボディ２内のＣＰＵと無線で通信ができるマイクであってもよい。
【図面の簡単な説明】
【００５８】
【図１】第１の実施の形態の構成を示す図
【図２】第１の実施の形態の動画撮影動作を示すフローチャート
【図３】第１の実施の形態の他の動画撮影動作を示すフローチャート
【図４】第２の実施の形態の静止画撮影動作を示すフローチャート
【図５】第３の実施の形態の静止画撮影動作を示すフローチャート
【図６】第４の実施の形態の静止画撮影動作を示すフローチャート
【図７】第５の実施の形態の静止画撮影動作を示すフローチャート
【図８】第６の実施の形態の静止画撮影動作を示すフローチャート
【符号の説明】
【００５９】
３  交換レンズ
１４  フォーカシングレンズ
１６  レンズ駆動制御装置
１７  レンズマイク
２１  ボディ駆動制御装置
２２  撮像素子
２６  記録媒体
３０  ボディマイク
３１  操作部材
３３  外部マイク
【図１】
2008178062.tif 000003
【図２】
2008178062.tif 000004
【図３】
2008178062.tif 000005
【図４】
2008178062.tif 000006
【図５】
2008178062.tif 000007
【図６】
2008178062.tif 000008
【図７】
2008178062.tif 000009
【図８】
2008178062.tif 000010